(57)【要約】  視聴者がコンテンツを視聴する際に、コンテンツに設定されている動的な条件に応じた再生手順で再生する。このとき、コンテンツオブジェクトデータ入力部は、外部から入力されたコンテンツオブジェクトを取得する。必要であれば、コンテンツオブジェクトをコンテンツオブジェクトデータ保持部へ保存する。コンテンツオブジェクトは、再生ルール及びコンテンツデータを含む。再生ルール評価実行部は、コンテンツオブジェクト内の再生ルールを取得し、再生ルールに従って処理を行う。再生部は、再生ルール評価実行部が指定した再生可能データを再生する。識別子管理部は、コンテンツオブジェクト再生装置の識別子を保持し、要求に応じて、保持している識別子を提供する。これにより、コンテンツオブジェクトデータに設定されている再生ルールに従って再生することや動的な条件に応じた再生手順の制御を行うことが出来る。
2008120523.tif 000002
【特許請求の範囲】
【請求項１】
再生ルール及びコンテンツデータが含まれたコンテンツオブジェクトを取得するコンテンツオブジェクトデータ入力手段と、
端末の識別子を保持し、要求に応じて前記識別子を提供する識別子管理手段と、
前記コンテンツオブジェクト内の再生ルールを取得し、再生ルールの評価を行い、再生ルールに従って処理を行う再生ルール評価実行手段と
を具備する
再生ルール評価装置。
【請求項２】
請求の範囲１に記載の再生ルール評価装置であって、
前記再生ルール評価実行手段から受け取った再生可能データを再生する再生手段と、
前記識別子に関連したＣＭの視聴履歴を保持し、要求に応じてＣＭの視聴履歴を提供するＣＭ視聴履歴保持手段と
を更に具備し、
前記再生ルール評価実行手段は、前記識別子管理手段から取得した前記識別子を前記ＣＭ視聴履歴保持手段に渡し、前記ＣＭ視聴履歴保持手段から前記識別子に関連付けられたＣＭの視聴履歴を取得し、ＣＭを未視聴の場合はＣＭデータとコンテンツデータとを前記再生手段に渡し、ＣＭを視聴済みの場合はコンテンツデータを前記再生手段に渡す
再生ルール評価装置。
【請求項３】
請求の範囲１又は２に記載の再生ルール評価装置であって、
前記コンテンツオブジェクトは、ＣＭデータを更に含み、
前記再生ルール評価実行手段は、ＣＭデータを再生する必要が生じた場合、前記コンテンツオブジェクト内のＣＭデータを取得する
再生ルール評価装置。
【請求項４】
請求の範囲１乃至３のいずれかに記載の再生ルール評価装置であって、
前記再生ルール評価実行手段からコンテンツデータを受け取り、別端末へコンテンツデータを送信する出力手段
を更に具備する
再生ルール評価装置。
【請求項５】
請求の範囲１乃至４のいずれかに記載の再生ルール評価装置であって、
前記再生ルール評価実行手段から、コンテンツの画質の変更を指示する命令とコンテンツデータとを受け取り、コンテンツの画質を変更し、前記再生ルール評価実行手段へ返す画質変更処理手段
を更に具備する
再生ルール評価装置。
【請求項６】
請求の範囲１乃至５のいずれかに記載の再生ルール評価装置であって、
前記再生ルール評価実行手段から、コンテンツのＤＲＭ（Ｄｉｇｉｔａｌ  Ｒｉｇｈｔｓ  Ｍａｎａｇｅｍｅｎｔ）の設定の変更を指示する命令とコンテンツデータとを受け取り、ＤＲＭの設定を変更し、前記再生ルール評価実行手段へ返すＤＲＭ設定変更手段
を更に具備する
再生ルール評価装置。
【請求項７】
請求の範囲１乃至６のいずれかに記載の再生ルール評価装置であって、
アンケートの回答履歴が前記識別子と関連付けられて保存されているアンケート回答履歴保持手段
を更に具備し、
前記再生ルール評価実行手段は、前記アンケートの回答履歴を参照し、アンケートに回答済みかどうかに応じた再生ルールを実行する
再生ルール評価装置。
【請求項８】
請求の範囲１乃至７のいずれかに記載の再生ルール評価装置であって、
商品の購入履歴が前記識別子と関連付けられて保存されている商品購入データ保持手段
を更に具備し、
前記再生ルール評価実行手段は、前記商品の購入履歴を参照し、前記端末のユーザが商品を買ったかどうかに応じた再生ルールを実行する
再生ルール評価装置。
【請求項９】
請求の範囲１乃至８のいずれかに記載の再生ルール評価装置であって、
前記識別子管理手段と連携し、ＣＭ視聴画面にＣＭを表示し、コンテンツ視聴画面にコンテンツを表示する出力制御手段
を更に具備する
再生ルール評価装置。
【請求項１０】
請求の範囲１乃至９のいずれかに記載の再生ルール評価装置であって、
前記再生ルール評価実行手段は、再生ルールの再生条件の評価を行った際に複数の再生ルールの再生条件に合致した場合、合致した再生ルールを表示してユーザに選択させ、ユーザに選択された再生ルールに従って処理を行う
再生ルール評価装置。
【請求項１１】
再生ルール及びコンテンツデータが含まれたコンテンツオブジェクトを取得し、前記コンテンツオブジェクトの再生ルールを評価するステップと、
端末の識別子に関連したＣＭの視聴履歴を取得し、ＣＭの視聴履歴を評価するステップと、
ＣＭの視聴履歴を評価した結果、ＣＭを未視聴の場合、ＣＭデータを取得してＣＭを再生し、ＣＭの視聴履歴に、前記識別子と、ＣＭを視聴したという視聴履歴の情報とを書き込むステップと、
前記コンテンツオブジェクトからコンテンツデータを取得してコンテンツを再生するステップと
を含む
再生ルール評価方法。
【請求項１２】
請求の範囲１１に記載の再生ルール評価方法であって、
ＣＭデータを再生する必要が生じた場合、前記コンテンツオブジェクト内に保持しているＣＭデータを取得するステップ
を更に含む
再生ルール評価方法。
【請求項１３】
請求の範囲１１又は１２に記載の再生ルール評価方法であって、
別端末へコンテンツデータを送信するステップ
を更に含む
再生ルール評価方法。
【請求項１４】
請求の範囲１１乃至１３のいずれかに記載の再生ルール評価方法であって、
コンテンツの画質の変更を指示する命令とコンテンツデータとに応じて、コンテンツの画質を変更するステップ
を更に含む
再生ルール評価方法。
【請求項１５】
請求の範囲１１乃至１４のいずれかに記載の再生ルール評価方法であって、
コンテンツのＤＲＭ（Ｄｉｇｉｔａｌ  Ｒｉｇｈｔｓ  Ｍａｎａｇｅｍｅｎｔ）の設定の変更を指示する命令とコンテンツデータとに応じて、ＤＲＭの設定を変更するステップ
を更に含む
再生ルール評価方法。
【請求項１６】
請求の範囲１１乃至１５のいずれかに記載の再生ルール評価方法であって、
前記識別子と関連付けられたアンケートの回答履歴を参照し、アンケートに回答済みかどうかに応じた再生ルールを実行するステップ
を更に含む
再生ルール評価方法。
【請求項１７】
請求の範囲１１乃至１６のいずれかに記載の再生ルール評価方法であって、
前記識別子と関連付けられた商品の購入履歴を参照し、前記端末のユーザが商品を買ったかどうかに応じた再生ルールを実行するステップ
を更に含む
再生ルール評価方法。
【請求項１８】
請求の範囲１１乃至１７のいずれかに記載の再生ルール評価方法であって、
前記識別子に応じて、ＣＭ視聴画面にＣＭを表示し、コンテンツ視聴画面にコンテンツを表示するステップ
を更に含む
再生ルール評価方法。
【請求項１９】
請求の範囲１１乃至１８のいずれかに記載の再生ルール評価方法であって、
再生ルールの再生条件の評価を行った際に複数の再生ルールの再生条件に合致した場合、合致した再生ルールを表示してユーザに選択させ、ユーザに選択された再生ルールに従って処理を行うステップ
を更に含む
再生ルール評価方法。
【請求項２０】
再生ルール及びコンテンツデータが含まれたコンテンツオブジェクトを取得し、前記コンテンツオブジェクトの再生ルールを評価するステップと、
端末の識別子に関連したＣＭの視聴履歴を取得し、ＣＭの視聴履歴を評価するステップと、
ＣＭの視聴履歴を評価した結果、ＣＭを未視聴の場合、ＣＭデータを取得してＣＭを再生し、ＣＭの視聴履歴に、前記識別子と、ＣＭを視聴したという視聴履歴の情報とを書き込むステップと、
前記コンテンツオブジェクトからコンテンツデータを取得してコンテンツを再生するステップと
をコンピュータに実行させるためのプログラムを格納した
記憶媒体。
【請求項２１】
再生ルール及びコンテンツデータが含まれたコンテンツオブジェクトを取得し、前記コンテンツオブジェクトの再生ルールを評価するステップと、
端末の識別子に関連したＣＭの視聴履歴を取得し、ＣＭの視聴履歴を評価するステップと、
ＣＭの視聴履歴を評価した結果、ＣＭを未視聴の場合、ＣＭデータを取得してＣＭを再生し、ＣＭの視聴履歴に、前記識別子と、ＣＭを視聴したという視聴履歴の情報とを書き込むステップと、
前記コンテンツオブジェクトからコンテンツデータを取得してコンテンツを再生するステップと
をコンピュータに実行させるための
プログラム。
【発明の詳細な説明】
【技術分野】
【０００１】
本発明は、再生ルール評価装置に関し、特にコンテンツとＣＭ（コマーシャル）の再生ルール評価装置に関する。なお、本出願は、日本出願番号２００７−０８９８６６に基づく優先権を主張するものであり、日本出願番号２００７−０８９８６６における開示内容は引用により本出願に組み込まれる。
【背景技術】
【０００２】
これまで、映像や動画、音楽等のコンテンツを無料で視聴させる対価として、コンテンツ中に広告を挿入し、広告を再生させるという手法が多く取られてきた。【０００３】
しかし、この手法は、コンテンツの途中で広告を見ることになり、コンテンツの再生を中断させる必要があった。【０００４】
そのため、これを解決し、コンテンツの視聴前に広告を視聴する方法、ホームページ上の広告を見ることを広告の視聴と同じする方法等、コンテンツやＣＭ（コマーシャル）の視聴を柔軟にする方法が考えられてきた。【０００５】
関連する技術として、特開２００３−０７８９０２号公報にＣＭ情報管理装置が開示されている。
この関連技術では、ＣＭ情報管理サイトのＣＭ構成表付番組管理部は、有料番組受信端末から番組名を指定された番組要求を受けると、ＣＭの挿入された有料番組を構成する映像音声情報と、その再生順序を記録したＣＭ付番組構成表を付加したＣＭ構成表付番組を要求元に送信させる。また、ＣＭ削除の要求を受けると、ＣＭの再生順序を省略した番組構成表を要求元の有料番組受信端末に送信させる。有料番組受信端末は、映像音声処理部でＣＭの挿入された有料番組を再生後に、入力受付部が視聴者からＣＭ削除の要求を受けると、番組構成表を取得し、ＣＭの省略された有料番組を再生する。【０００６】
また、特開２００５−１９１６１７号公報に事前部分視聴方法が開示されている。
この関連技術は、通信回線を介してユーザの視聴履歴に応じた番組サービスを提供する情報サーバと、情報サーバと通信可能なテレビジョン放送の録画装置とを備えた事前部分視聴装置における事前部分視聴方法である。この事前部分視聴方法では、録画装置が録画予約情報を情報サーバに通知して広告情報を取得する。ユーザが視聴が広告を視聴するとその視聴履歴を保存する。録画装置の広告視聴履歴を情報サーバに通知して対応する番組サービスを取得する。【０００７】
しかし、これらの方法は、コンテンツの再生手順が固定されており、動的な条件に応じた再生手順を設定できなかった。【０００８】
その他、関連する技術として、特開２００５−２０４２３３号公報にデジタル放送受信装置が開示されている。
この関連技術では、デジタル放送受信装置は、本編ストリームと、ＣＭストリームと、特典映像ストリームと、ＣＭストリーム再生を検出するＣＭ再生検出情報と、複数特典映像ストリームに切り替えるタイミングを示唆するストリーム切り替え検出情報から構成される番組ストリームを含むトランスポートストリームを受信する。デジタル放送受信装置は、受信されたトランスポートストリームの内容を解析して、ＣＭ再生検出情報とストリーム切り替え検出情報とを抽出する。デジタル放送受信装置は、ＣＭ再生検出情報を検出すると、ＣＭの視聴回数が記録されるＣＭ視聴履歴を作成する。デジタル放送受信装置は、ストリーム切り替え検出情報を検出すると、視聴回数に対応して特典映像ストリームを指定する特典映像リストから当該特典映像ストリームを選択し、再生する。【０００９】
また、特開２００６−０６０４２３号公報に番組再生方法、番組再生システム、及び記録再生装置が開示されている。
この関連技術では、放送された番組を記録してから再生する場合に、アンケートの回答に応じて番組中に含まれる広告（コマーシャル）の画面映像をスキップ又は再生時期を変動するようにして再生を行う。アンケートの回答に応じて広告の再生態様を決定するので、番組を支援する企業が視聴者に対し望む情報となるアンケートの回答と引き替えに、視聴者は番組コンテンツを連続して視聴するという希望が達成される新たな番組の再生形態を実現できるようになる。即ち、放送装置（放送局）からは、冒頭にアンケートを付帯させて番組を放送する。一方、記録再生装置ではアンケートの再生により視聴者から回答を受け付けた場合、回答をサーバへ送信することで、番組を支援する企業は有用な情報（回答）を容易に得られる。更に、記録再生装置は、送信した回答に基づき広告（コマーシャル）の再生の仕方を視聴者の望む方向へ変更することを決定して番組を再生するので、視聴者の番組再生に対する希望も自動的に満たされる。【００１０】
また、特開２００６−３０４１０６号公報にデジタルテレビシステム、印刷方法及びプログラムが開示されている。
この関連技術では、デジタルテレビコンテンツ作成者はデジタルテレビ信号の付加データに、番組ＩＤ、番組ＩＤに対応したポイントデータ、印刷画像及び印刷制御用スクリプトを含めて送信を行う。このデジタルテレビ信号は、デジタル信号受信装置で受信され、映像部分とデータ部分にデータ分離装置で分離された後、それぞれビデオデコーダ部、ＣＰＵに送信され処理が行われる。ＣＰＵに送信されたデジタルテレビ信号の付加データは番組ＩＤ、番組ＩＤに対応したポイントデータ、印刷画像、印刷制御用スクリプトが含まれており、ＣＰＵで印刷制御用スクリプトを自動実行することで視聴者のＣＭポイントの保存及び視聴者の印刷判定を行い、視聴者が印刷条件を満たしていた場合に印刷画像をプリンタへ送信し印刷を行う。
【発明の開示】
【００１１】
本発明の目的は、コンテンツの再生時に再生ルールを評価し、動的な条件に応じてコンテンツやＣＭを再生する再生ルール評価装置を提供することである。
【００１２】
本発明の再生ルール評価装置は、再生ルール及びコンテンツデータが含まれたコンテンツオブジェクトを取得するコンテンツオブジェクトデータ入力手段と、端末の識別子を保持し、要求に応じて識別子を提供する識別子管理手段と、コンテンツオブジェクト内の再生ルールを取得し、再生ルールの評価を行い、再生ルールに従って処理を行う再生ルール評価実行手段とを具備する。
【００１３】
本発明の再生ルール評価方法は、再生ルール及びコンテンツデータが含まれたコンテンツオブジェクトを取得しコンテンツオブジェクトの再生ルールを評価するステップと、端末の識別子に関連したＣＭの視聴履歴を取得し、ＣＭの視聴履歴を評価するステップと、ＣＭの視聴履歴を評価した結果、ＣＭを未視聴の場合、ＣＭデータを取得してＣＭを再生し、ＣＭの視聴履歴に、識別子と、ＣＭを視聴したという視聴履歴の情報とを書き込むステップと、コンテンツオブジェクトからコンテンツデータを取得してコンテンツを再生するステップとを含む。
【００１４】
本発明の記憶媒体は、再生ルール及びコンテンツデータが含まれたコンテンツオブジェクトを取得しコンテンツオブジェクトの再生ルールを評価するステップと、端末の識別子に関連したＣＭの視聴履歴を取得し、ＣＭの視聴履歴を評価するステップと、ＣＭの視聴履歴を評価した結果、ＣＭを未視聴の場合、ＣＭデータを取得してＣＭを再生し、ＣＭの視聴履歴に、識別子と、ＣＭを視聴したという視聴履歴の情報とを書き込むステップと、コンテンツオブジェクトからコンテンツデータを取得してコンテンツを再生するステップとをコンピュータに実行させるためのプログラムを格納する。
【００１５】
本発明のプログラムは、再生ルール及びコンテンツデータが含まれたコンテンツオブジェクトを取得しコンテンツオブジェクトの再生ルールを評価するステップと、端末の識別子に関連したＣＭの視聴履歴を取得し、ＣＭの視聴履歴を評価するステップと、ＣＭの視聴履歴を評価した結果、ＣＭを未視聴の場合、ＣＭデータを取得してＣＭを再生し、ＣＭの視聴履歴に、識別子と、ＣＭを視聴したという視聴履歴の情報とを書き込むステップと、コンテンツオブジェクトからコンテンツデータを取得してコンテンツを再生するステップとをコンピュータに実行させるためのプログラムである。
【００１６】
これにより、コンテンツオブジェクトデータに設定されている再生ルールに従って再生することや動的な条件に応じた再生手順の制御を行うことが出来る。
【図面の簡単な説明】
【００１７】
【図１】図１は、コンテンツオブジェクト再生装置を示すブロック図である。
【図２】図２は、本発明の第１実施形態を説明するための図である。
【図３】図３は、本発明における動作の流れを示すフローチャートである。
【図４】図４は、本発明の第２実施形態を説明するための図である。
【図５】図５は、本発明の第３実施形態を説明するための図である。
【図６】図６は、本発明の第４実施形態を説明するための図である。
【図７】図７は、本発明の第５実施形態を説明するための図である。
【図８】図８は、本発明の第６実施形態を説明するための図である。
【図９】図９は、本発明の第７実施形態を説明するための図である。
【図１０】図１０は、本発明の第８実施形態を説明するための図である。
【発明を実施するための最良の形態】
【００１８】
本発明では、視聴者がコンテンツを視聴する際に、コンテンツに設定されている動的な条件に応じた再生手順で再生する。【００１９】
以下に、本発明の第１実施形態について添付図面を参照して説明する。
図１を参照すると、コンテンツオブジェクト再生装置１０は、コンテンツオブジェクトデータ入力部１１と、コンテンツオブジェクトデータ保持部１２と、識別子管理部１３と、再生ルール評価実行部１４と、再生部１５を備える。なお、コンテンツオブジェクトデータ保持部１２は、不要であれば備えていなくても良い。【００２０】
コンテンツオブジェクト再生装置１０は、本発明の再生ルール評価装置の中核となる装置である。コンテンツオブジェクト再生装置１０は、再生ルールの評価を行い、再生ルールに従ってコンテンツデータを処理する。【００２１】
コンテンツオブジェクトデータ入力部１１は、ＳＤカード（Ｓｅｃｕｒｅ  Ｄｉｇｉｔａｌ  ｍｅｍｏｒｙ  ｃａｒｄ）のような外部記憶装置や無線ＬＡＮ（Ｌｏｃａｌ  Ａｒｅａ  Ｎｅｔｗｏｒｋ）のような通信装置等の外部から入力されたコンテンツオブジェクト１００を、コンテンツオブジェクトデータ保持部１２へ保存する装置である。なお、コンテンツオブジェクトデータ入力部１１は、コンテンツオブジェクトデータ保持部１２が無い場合、コンテンツオブジェクト１００を再生ルール評価実行部１４へ渡す。コンテンツオブジェクトデータ入力部１１の例として、ＤＶＤドライブ等の読出装置や、通信ポート、ＵＳＢ（Ｕｎｉｖｅｒｓａｌ  Ｓｅｒｉａｌ  Ｂｕｓ）、スロット（差込口）、ＮＩＣ（Ｎｅｔｗｏｒｋ  Ｉｎｔｅｒｆａｃｅ  Ｃａｒｄ）等のネットワークアダプタ等が考えられる。但し、実際には、これらの例に限定されない。【００２２】
コンテンツオブジェクト１００は、再生ルール１１０と、コンテンツデータ１２０を含む。再生ルール１１０とは、コンテンツの再生条件や再生手順を記述した情報である。例えば、再生ルール１１０として、「再生料金を未払いなら、最初にＣＭを再生させる」、「アンケートに未回答なら、低画質で再生させる」、「ＣＭを視聴すれば、低画質にして、他端末へコピーさせる」等の再生条件や再生手順が考えられる。また、コンテンツデータ１２０とは、コンテンツ提供者が提供するコンテンツのデータであり、再生可能データの一つである。コンテンツデータ１２０の例として、動画データ、静止画データ、音声データ等が考えられる。【００２３】
コンテンツオブジェクトデータ保持部１２は、コンテンツオブジェクト１００を保持する装置である。なお、例えば、ストリーミング配信のようにコンテンツオブジェクトを保持しない場合には、コンテンツオブジェクトデータ保持部１２は無くても良い。コンテンツオブジェクトデータ保持部１２の例として、メモリやストレージ等の記憶装置や、記憶媒体（メディア）等が考えられる。但し、実際には、これらの例に限定されない。【００２４】
識別子管理部１３は、コンテンツオブジェクト再生装置１０の識別子を保持し、要求に応じて、保持している識別子を提供する装置である。識別子管理部１３の例として、メモリやストレージ等の記憶装置や、記憶媒体（メディア）等が考えられる。但し、実際には、これらの例に限定されない。【００２５】
再生ルール評価実行部１４は、コンテンツオブジェクトデータ入力部１１又はコンテンツオブジェクトデータ保持部１２から、コンテンツオブジェクト１００内の再生ルール１１０を取得し、再生ルール１１０に従って、処理を行う装置である。再生ルール評価実行部１４の例として、ＣＰＵ（Ｃｅｎｔｒａｌ  Ｐｒｏｃｅｓｓｉｎｇ  Ｕｎｉｔ）やマイクロプロセッサ（ｍｉｃｒｏｐｒｏｃｅｓｓｏｒ）等の処理装置等が考えられる。或いは、再生ルール評価実行部１４は、再生ルール評価実行部１４の機能を持つ専用のハードウェアや、コンピュータに再生ルール評価実行部１４の機能を実現させるためのプログラム等でも良い。但し、実際には、これらの例に限定されない。【００２６】
再生部１５は、再生ルール評価実行部１４が指定した再生可能データを再生する装置である。再生可能データとは、再生部１５が再生できるデータのことである。再生部１５の例として、液晶ディスプレイ等の表示装置や、プロジェクタ等の映写装置等が考えられる。但し、実際には、これらの例に限定されない。【００２７】
これらの装置を用いることにより、コンテンツオブジェクト１００に設定されている再生ルール１１０に従って再生することが出来るため、これまで出来なかった、動的な条件に応じた再生手順の制御を行うことが出来る。【００２８】
図２に、本発明に係る再生ルール評価システムの概要を示す。ここでは、映画の動画コンテンツを販売しているインターネットサービス事業者が、本発明を用いてサービスを展開している例を示す。【００２９】
本発明に係る再生ルール評価システムは、コンテンツオブジェクト再生装置１０と、コンテンツ販売業者サーバ２０を含む。【００３０】
コンテンツオブジェクト再生装置１０とコンテンツ販売業者サーバ２０とは、ネットワークを介して接続されている。【００３１】
コンテンツオブジェクト再生装置１０は、コンテンツオブジェクトデータ入力部１１と、コンテンツオブジェクトデータ保持部１２と、識別子管理部１３と、再生ルール評価実行部１４と、再生部１５を備える。なお、コンテンツオブジェクトデータ保持部１２は、不要であれば備えていなくても良い。【００３２】
コンテンツオブジェクトデータ入力部１１は、コンテンツ販売部２１からコンテンツオブジェクト１００を取得し、コンテンツオブジェクトデータ保持部１２へ渡す。なお、コンテンツオブジェクトデータ入力部１１は、コンテンツオブジェクトデータ保持部１２が無い場合、コンテンツオブジェクト１００を再生ルール評価実行部１４へ渡す。【００３３】
コンテンツオブジェクトデータ保持部１２は、コンテンツオブジェクトデータ入力部１１からコンテンツオブジェクト１００を受け取り、保持する。なお、例えば、ストリーミング配信のようにコンテンツオブジェクトを保持しない場合には、コンテンツオブジェクトデータ保持部１２は無くても良い。【００３４】
識別子管理部１３は、コンテンツオブジェクト再生装置１０の識別子を保持し、要求に応じて、保持している識別子を提供する。ここでは、識別子は端末ＩＤとする。端末とは、コンテンツオブジェクト再生装置１０を示す。但し、実際には、識別子は、端末が識別できる識別情報であれば良い。例えば、識別子は、ＩＰアドレス等でも良い。【００３５】
再生ルール評価実行部１４は、コンテンツオブジェクトデータ入力部１１又はコンテンツオブジェクトデータ保持部１２から、コンテンツオブジェクト１００内の再生ルール１１０を取得し、再生ルール１１０に従って、処理を行う。再生ルール１１０は、「ＣＭを未視聴の場合はＣＭを再生してからコンテンツを再生し、ＣＭを視聴済みの場合はＣＭを表示せずにコンテンツを再生する。」という意味の記述がされている。また、再生ルール１１０は、ＣＭデータ保持部２２への参照情報（ＵＲＬ等）を含む。ここでは、再生ルール評価実行部１４は、識別子管理部１３から識別子を取得し、識別子をＣＭ視聴履歴保持部２３に渡し、ＣＭ視聴履歴保持部２３から識別子に関連付けられたＣＭ視聴履歴を取得し処理を行う。再生ルール評価実行部１４は、ＣＭを未視聴の場合、ＣＭデータとコンテンツデータ１２０を再生部１５に渡す。再生ルール評価実行部１４は、ＣＭを視聴済みの場合、コンテンツデータ１２０を再生部１５に渡す。ここでは、ＣＭデータは、コンテンツの視聴の際に視聴が望まれるデータであり、再生可能データの一つである。【００３６】
再生部１５は、再生可能データを受け取り、再生する。ここでは、再生可能データは、ＣＭデータやコンテンツデータ１２０である。【００３７】
コンテンツ販売業者サーバ２０は、コンテンツ販売部２１と、ＣＭデータ保持部２２と、ＣＭ視聴履歴保持部２３を備える。【００３８】
ＣＭデータ保持部２２は、ＣＭデータを保持しており、要求に応じてＣＭデータを提供する。【００３９】
ＣＭ視聴履歴保持部２３は、端末ＩＤ（識別子）に関連したＣＭの視聴履歴を保持し、要求に応じて、保持しているＣＭの視聴履歴を提供する。【００４０】
本発明に係る再生ルール評価システムでは、例えば、ユーザ（利用者）が、映画のコンテンツを購入するとき、コンテンツオブジェクトデータ入力部１１に対して入力操作を行う。この場合、映画のコンテンツが、コンテンツオブジェクト１００となる。コンテンツオブジェクトデータ入力部１１は、入力操作に応じて、コンテンツ販売部２１からコンテンツオブジェクト１００を取得し、コンテンツオブジェクトデータ保持部１２に保存する。再生ルール評価実行部１４は、保存されたコンテンツオブジェクト１００に含まれる再生ルール１１０の評価を行う。その後、再生部１５は、保存されたコンテンツオブジェクト１００に含まれるコンテンツデータ１２０を用いて、コンテンツの再生を行う。【００４１】
ここでは、再生ルール１１０は、「ＣＭを未視聴の場合はＣＭを再生してからコンテンツを再生し、ＣＭを視聴済みの場合はＣＭを表示せずにコンテンツを再生する」である。従って、再生ルール評価実行部１４は、識別子管理部１３から識別子を取得し、取得された識別子をＣＭ視聴履歴保持部２３に提供し、ＣＭ視聴履歴保持部２３から識別子に関連付けられたＣＭの視聴履歴を取得し、取得されたＣＭの視聴履歴を参照し、ＣＭを視聴済みかどうか確認する。再生ルール評価実行部１４は、ＣＭを未視聴の場合、コンテンツを再生する前にＣＭを再生することを決定する。再生ルール評価実行部１４は、ＣＭを視聴済みの場合、ＣＭを表示せずにコンテンツを再生することを決定する。再生ルール評価実行部１４は、ＣＭやコンテンツを再生する場合、ＣＭデータやコンテンツデータ１２０を再生部１５に渡す。【００４２】
本発明に係る再生ルール評価システムの動作の流れを、図３のフローチャートに示す。
（１）ステップＳ１０１
コンテンツ視聴者は、コンテンツ販売部２１にアクセスし、コンテンツを購入する。
（２）ステップＳ１０２
コンテンツ販売部２１は、ユーザが購入したコンテンツをコンテンツオブジェクト１００として、コンテンツオブジェクトデータ入力部１１へ送信する。
（３）ステップＳ１０３
コンテンツオブジェクトデータ入力部１１は、受信したコンテンツオブジェクト１００を、コンテンツオブジェクトデータ保持部１２へ保存する。例えば、ストリーミング配信のように、コンテンツオブジェクト１００を保存する必要が無く、コンテンツオブジェクトデータ保持部１２が無い場合、コンテンツオブジェクトデータ入力部１１は、コンテンツオブジェクト１００を再生ルール評価実行部１４へ渡す。
（４）ステップＳ１０４
再生ルール評価実行部１４は、コンテンツオブジェクトデータ入力部１１又はコンテンツオブジェクトデータ保持部１２から、コンテンツオブジェクト１００を取得し、コンテンツオブジェクト１００の再生ルール１１０を評価する。
（５）ステップＳ１０５
再生ルール１１０には、ＣＭの視聴に関する条件が記述されているため、再生ルール評価実行部１４は、識別子管理部１３から端末ＩＤ（識別子）を取得し、ＣＭ視聴履歴保持部２３を参照し、端末ＩＤ（識別子）に関連づいたＣＭの視聴履歴を取得する。
（６）ステップＳ１０６
再生ルール評価実行部１４は、ＣＭの視聴履歴を評価する。もし、ＣＭを視聴済みである場合は、ステップＳ１１０を実行する。もし、ＣＭを未視聴である場合は、ステップＳ１０７を実行する。
（７）ステップＳ１０７
ＣＭを未視聴である場合、再生ルール評価実行部１４は、ＣＭデータ保持部２２からＣＭデータを取得し、再生部１５へ送信する。
（８）ステップＳ１０８
再生部１５は、ＣＭデータを受け取り、ＣＭを再生する。
（９）ステップＳ１０９
再生ルール評価実行部１４は、ＣＭ視聴履歴保持部２３へ、端末ＩＤ（識別子）とＣＭを視聴したという視聴履歴の情報を書き込む。これにより、ＣＭの視聴履歴が、「ＣＭを視聴済み」となる。
（１０）ステップＳ１１０
ＣＭを視聴済みである場合、再生ルール評価実行部１４は、コンテンツオブジェクト１００からコンテンツデータ１２０を取得し、再生部１５へ送信する。
（１１）ステップＳ１１１
再生部１５は、コンテンツデータ１２０を受け取り、コンテンツを再生する。【００４３】
このようにすることで、再生ルール１１０により、動的な条件に応じた再生手順を設定することが出来る。また、コンテンツ提供者は、コンテンツに様々な再生ルール１１０を設定することが出来る。更に、ユーザは、コンテンツを様々な再生ルール１１０でコンテンツを再生することが出来る。【００４４】
次に、本発明の第２実施形態について説明する。
本発明の第２実施形態の基本構成は、本発明の第１実施形態と同じであるが、ＣＭデータの取得方法について更に工夫している。【００４５】
第１実施形態では、ＣＭデータはコンテンツ販売業者サーバ２０のＣＭデータ保持部２２が保持していたが、本実施形態では、コンテンツオブジェクト１００内にＣＭデータを保持する。【００４６】
図４に、本実施形態における再生ルール評価システムの概要を示す。
本実施形態における再生ルール評価システムは、コンテンツオブジェクト再生装置１０と、コンテンツ販売業者サーバ２０を含む。コンテンツオブジェクト再生装置１０は、第１実施形態と同様である。【００４７】
コンテンツ販売業者サーバ２０は、コンテンツ販売部２１と、ＣＭ視聴履歴保持部２３を備える。コンテンツオブジェクト１００は、再生ルール１１０と、コンテンツデータ１２０と、ＣＭデータ１３０を含む。【００４８】
このように、本実施形態では、コンテンツ販売業者サーバ２０がＣＭデータ保持部２２を持たず、コンテンツオブジェクト１００にＣＭデータ１３０が含まれている。【００４９】
再生ルール評価実行部１４での判定結果によってＣＭデータを再生する必要が生じたとき、第１実施形態では、ＣＭデータはコンテンツ販売業者サーバ２０のＣＭデータ保持部２２に対してＣＭデータの要求を行っていたが、本実施形態では、コンテンツオブジェクト１００内にＣＭデータを保持しているため、そこからＣＭデータを取得する。ＣＭデータの所在は再生ルール１１０中に記述されている。【００５０】
次に、本発明の第３実施形態について説明する。
本発明の第３実施形態は、コンテンツを再生せずに、別の端末にコピーすることを特徴としている。【００５１】
図５に、本実施形態における再生ルール評価システムの概要を示す。
本実施形態における再生ルール評価システムは、コンテンツオブジェクト再生装置１０と、コンテンツ販売業者サーバ２０と、コピー先端末３０を含む。コンテンツ販売業者サーバ２０は、第１実施形態と同様である。コピー先端末３０は、コンテンツオブジェクト再生装置１０からの出力データを受信する別端末である。【００５２】
コンテンツオブジェクト再生装置１０は、コンテンツオブジェクトデータ入力部１１と、コンテンツオブジェクトデータ保持部１２と、識別子管理部１３と、再生ルール評価実行部１４と、出力部１６を備える。なお、コンテンツオブジェクトデータ保持部１２は、不要であれば備えていなくても良い。【００５３】
このように、本実施形態では、再生部１５を出力部１６に変更している。但し、実際には、再生部１５と出力部１６を共に備えていても良い。【００５４】
出力部１６は、再生ルール評価実行部１４からコンテンツのデータを受け取り、コピー先端末３０へデータを送信する。出力部１６の例として、ＮＩＣ（Ｎｅｔｗｏｒｋ  Ｉｎｔｅｒｆａｃｅ  Ｃａｒｄ）等のネットワークアダプタや、アンテナ、モデム（ＭＯＤＥＭ）、通信ポート、ＵＳＢ（Ｕｎｉｖｅｒｓａｌ  Ｓｅｒｉａｌ  Ｂｕｓ）、スロット（差込口）等が考えられる。但し、実際には、これらの例に限定されない。【００５５】
これにより、「ＣＭを視聴済みであれば、別端末へコピーさせる」のような、コピー先端末３０へコピーするような再生ルール１１０を実行することが出来る。【００５６】
次に、本発明の第４実施形態について説明する。
本発明の第４実施形態は、コンテンツの再生時に、コンテンツの画質を変更してから再生することを特徴としている。また、変換後のデータをキャッシュする仕組みを持っていても良い。【００５７】
図６に、本実施形態における再生ルール評価システムの概要を示す。
本実施形態における再生ルール評価システムは、コンテンツオブジェクト再生装置１０と、コンテンツ販売業者サーバ２０を含む。コンテンツ販売業者サーバ２０は、第１実施形態と同様である。【００５８】
コンテンツオブジェクト再生装置１０は、コンテンツオブジェクトデータ入力部１１と、コンテンツオブジェクトデータ保持部１２と、識別子管理部１３と、再生ルール評価実行部１４と、再生部１５と、画質変更処理部１７を備える。なお、コンテンツオブジェクトデータ保持部１２は、不要であれば備えていなくても良い。【００５９】
このように、本実施形態では、画質変更処理部１７を追加している。【００６０】
画質変更処理部１７は、再生ルール評価実行部１４から、コンテンツの画質の変更を指示する命令と、コンテンツのデータを受け取り、コンテンツの画質を変更し、再生ルール評価実行部１４へ返す。また、画質変更処理部１７は、必要に応じて、変換後のデータをキャッシュするようにしても良い。画質変更処理部１７の例として、ＣＰＵやマイクロプロセッサ等の処理装置等が考えられる。或いは、画質変更処理部１７は、画質変更処理部１７の機能を持つ専用のハードウェアや、コンピュータに画質変更処理部１７の機能を実現させるためのプログラム等でも良い。但し、実際には、これらの例に限定されない。【００６１】
これにより、「ＣＭを視聴済みであれば、低画質で再生させる」のような、画質を変更するような再生ルール１１０を実行することが出来る。【００６２】
次に、本発明の第５実施形態について説明する。
本発明の第５実施形態は、コンテンツのＤＲＭ（ＤｉｇｉｔａｌＲｉｇｈｔｓＭａｎａｇｅｍｅｎｔ）の設定を変更できることを特徴としている。【００６３】
図７に、本実施形態における再生ルール評価システムの概要を示す。
本実施形態における再生ルール評価システムは、コンテンツオブジェクト再生装置１０と、コンテンツ販売業者サーバ２０を含む。コンテンツ販売業者サーバ２０は、第１実施形態と同様である。【００６４】
コンテンツオブジェクト再生装置１０は、コンテンツオブジェクトデータ入力部１１と、コンテンツオブジェクトデータ保持部１２と、識別子管理部１３と、再生ルール評価実行部１４と、再生部１５と、ＤＲＭ設定変更部１８を備える。なお、コンテンツオブジェクトデータ保持部１２は、不要であれば備えていなくても良い。【００６５】
このように、本実施形態では、ＤＲＭ設定変更部１８を追加している。【００６６】
ＤＲＭ設定変更部１８は、再生ルール評価実行部１４から、ＤＲＭの設定の変更を指示する命令と、コンテンツのデータを受け取り、ＤＲＭの設定を変更し、再生ルール評価実行部１４へ返す。ＤＲＭ設定変更部１８の例として、ＣＰＵやマイクロプロセッサ等の処理装置等が考えられる。或いは、ＤＲＭ設定変更部１８は、ＤＲＭ設定変更部１８の機能を持つ専用のハードウェアや、コンピュータにＤＲＭ設定変更部１８の機能を実現させるためのプログラム等でも良い。但し、実際には、これらの例に限定されない。【００６７】
これにより、「ＣＭを視聴済みであれば、ＤＲＭのコピー回数制限を増やす」のような、ＤＲＭの設定を変更するような、再生ルール１１０を実行することが出来る。【００６８】
例えば、「ＣＭを視聴すれば、ＤＲＭのコピー制限を行い、別端末へコピーさせる」という再生ルール１１０によって、別の端末にコピーする際にＤＲＭのコピー制限が必ず入るようにすることが出来る。【００６９】
次に、本発明の第６実施形態について説明する。
本発明の第６実施形態は、アンケートに回答したらＣＭを視聴しなくても良いという設定を変更できることを特徴としている。【００７０】
図８に、本実施形態における再生ルール評価システムの概要を示す。
本実施形態における再生ルール評価システムは、コンテンツオブジェクト再生装置１０と、コンテンツ販売業者サーバ２０を含む。コンテンツオブジェクト再生装置１０は、第１実施形態と同様である。【００７１】
コンテンツ販売業者サーバ２０は、コンテンツ販売部２１と、ＣＭデータ保持部２２と、アンケート回答履歴保持部２４を備える。【００７２】
このように、本実施形態では、ＣＭ視聴履歴保持部２３の代わりに、アンケート回答履歴保持部２４を追加している。【００７３】
アンケート回答履歴保持部２４には、アンケートの回答履歴が端末ＩＤ（識別子）と関連付けられて保存されている。【００７４】
再生ルール評価実行部１４は、アンケート回答履歴保持部２４に格納されたアンケートの回答履歴を参照し、ＣＭデータ保持部２２から取得したＣＭデータを、再生部１５へ送信するかどうか判断する。【００７５】
このとき、再生ルール評価実行部１４は、端末毎にアンケート回答履歴保持部２４に格納されたアンケートのデータを再生部１５を介して配布し、アンケートの回答を取得するようにしても良い。【００７６】
これにより、「アンケートに未回答なら、ＣＭを視聴させる」のような、アンケートに回答済みかどうかに応じた再生ルール１１０を実行することが出来る。【００７７】
次に、本発明の第７実施形態について説明する。
本発明の第７実施形態は、商品を購入したらＣＭを視聴しなくても良いという設定を変更できることを特徴としている。【００７８】
図９に、本実施形態における再生ルール評価システムの概要を示す。
本実施形態における再生ルール評価システムは、コンテンツオブジェクト再生装置１０と、コンテンツ販売業者サーバ２０と、商品管理サーバ４０を含む。コンテンツオブジェクト再生装置１０は、第１実施形態と同様である。【００７９】
コンテンツ販売業者サーバ２０は、コンテンツ販売部２１と、ＣＭデータ保持部２２を備える。【００８０】
商品管理サーバ４０は、商品購入データ保持部４１を備える。【００８１】
実際には、コンテンツ販売業者サーバ２０と商品管理サーバ４０は同一のサーバでも良い。即ち、コンテンツ販売業者サーバ２０が商品購入データ保持部４１を備えていても良い。【００８２】
このように、本実施形態では、ＣＭ視聴履歴保持部２３の代わりに、商品購入データ保持部４１を追加している。【００８３】
商品購入データ保持部４１には、商品の購入履歴が端末ＩＤ（識別子）と関連付けられて保存されている。本実施形態では、本発明とは別の仕組みにより、商品購入データ、店舗のＰＯＳシステムと連携しており、ユーザが商品を購入すると、商品購入データ保持部４１に端末ＩＤ（識別子）と購入履歴が保存されるようになっているものとする。【００８４】
これにより、「商品を購入したら、ＣＭの視聴をスキップさせる」のような、商品を買ったかどうかに応じた再生ルール１１０を実行することが出来る。【００８５】
次に、本発明の第８実施形態について説明する。
本発明の第８実施形態は、複数の端末と連携するということを特徴としている。【００８６】
図１０に、本実施形態における再生ルール評価システムの概要を示す。
本実施形態における再生ルール評価システムは、コンテンツオブジェクト再生装置１０と、コンテンツ販売業者サーバ２０と、ＣＭ視聴画面５０と、コンテンツ視聴画面６０を含む。コンテンツ販売業者サーバ２０は、第１実施形態と同様である。【００８７】
コンテンツオブジェクト再生装置１０は、コンテンツオブジェクトデータ入力部１１と、コンテンツオブジェクトデータ保持部１２と、識別子管理部１３と、再生ルール評価実行部１４と、出力制御部１９を備える。なお、コンテンツオブジェクトデータ保持部１２は、不要であれば備えていなくても良い。【００８８】
このように、本実施形態では、再生部１５の代わりに、出力制御部１９を追加している。【００８９】
出力制御部１９は、識別子管理部１３と連携し、ＣＭ視聴画面５０とコンテンツ視聴画面６０にＣＭやコンテンツを表示する。ここでは、出力制御部１９は、再生ルール評価実行部１４からＣＭデータやコンテンツデータを取得し、ＣＭ視聴画面５０にＣＭを表示し、コンテンツ視聴画面６０にコンテンツを表示する。出力制御部１９の例として、ＣＰＵやマイクロプロセッサ等の処理装置等が考えられる。或いは、出力制御部１９は、出力制御部１９の機能を持つ専用のハードウェアや、コンピュータに出力制御部１９の機能を実現させるためのプログラム等でも良い。このとき、出力制御部１９は、ＮＩＣ（Ｎｅｔｗｏｒｋ  Ｉｎｔｅｒｆａｃｅ  Ｃａｒｄ）等のネットワークアダプタや、アンテナ、モデム（ＭＯＤＥＭ）、通信ポート、ＵＳＢ（Ｕｎｉｖｅｒｓａｌ  Ｓｅｒｉａｌ  Ｂｕｓ）、スロット（差込口）等を介して、ＣＭ視聴画面５０にＣＭを表示し、コンテンツ視聴画面６０にコンテンツを表示する。コンテンツを出力する。なお、出力制御部１９は、コンテンツオブジェクト再生装置１０に接続された通信用インタフェースでも良い。但し、実際には、これらの例に限定されない。【００９０】
なお、本実施形態では、識別子の管理方法が第１実施形態と異なる。
識別子管理部１３には、ユーザの識別子と、ユーザが持つ１つ以上の端末の識別子がＣＭ視聴用かコンテンツ視聴用か分類されて保存されている。即ち、識別子管理部１３には、ユーザの端末の識別子と、ＣＭ視聴用端末の識別子と、コンテンツ視聴用端末の識別子が保存されている。ＣＭ視聴履歴保持部２３には、ＣＭの視聴履歴がユーザの識別子に関連付けられて保存されている。【００９１】
再生ルール評価実行部１４は、ＣＭ視聴履歴を取得する際に、識別子管理部１３からユーザの識別子を取得し、ＣＭ視聴履歴保持部２３を参照し、ＣＭ視聴履歴を得る。【００９２】
出力制御部１９は、再生可能データを出力する際に、識別子管理部１３からユーザが持つ端末の識別子のリストを得る。再生するデータがＣＭの場合は、ＣＭ視聴用の端末にデータを再生し、再生するデータがコンテンツの場合は、コンテンツ視聴用の端末に再生する。【００９３】
これにより、ＣＭの視聴とコンテンツの視聴の端末を別にすることが出来る。【００９４】
次に、本発明の第９実施形態について説明する。
第９実施形態は、再生ルール評価実行部１４は、コンテンツデータが再生ルール１１０の再生条件に複数合致した場合に、コンテンツデータが再生条件に合致した複数の再生ルール１１０から、実行する再生ルール１１０を、ユーザが選択できるようにすることを特徴としている。【００９５】
再生ルール評価実行部１４は、再生ルール１１０の再生条件の評価を行った際に、コンテンツデータが複数の再生ルール１１０の再生条件に合致した場合、当該コンテンツデータが再生条件に合致した再生ルール１１０を全て表示し、ユーザに選択させる機能を持たせても良い。この場合、再生ルール評価実行部１４は、ユーザに選択された再生ルールに従って処理を行う。【００９６】
これにより、視聴者の好みに合った再生手順でコンテンツを再生することが出来る。【００９７】
本発明は上記各実施の形態に限定されず、本発明の技術思想の範囲内において、各実施の形態は適宜変形又は変更され得ることは明らかである。【００９８】
以上のように、本発明では、コンテンツの再生時に再生ルールを評価し、動的な条件に応じてコンテンツやＣＭを再生することが出来る。また、再生ルールにより、動的な条件に応じた再生手順を設定することが出来る。また、コンテンツ提供者は、コンテンツに様々な再生ルールを設定することが出来る。更に、ユーザは、コンテンツを様々な再生ルールでコンテンツを再生することが出来る。
【図１】
2008120523.tif 000003
【図２】
2008120523.tif 000004
【図３】
2008120523.tif 000005
【図４】
2008120523.tif 000006
【図５】
2008120523.tif 000007
【図６】
2008120523.tif 000008
【図７】
2008120523.tif 000009
【図８】
2008120523.tif 000010
【図９】
2008120523.tif 000011
【図１０】
2008120523.tif 000012
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
外部から再生ルール及びコンテンツデータが含まれたコンテンツオブジェクトを取得するコンテンツオブジェクトデータ入力手段と、
ユーザの識別子、ＣＭ視聴用端末の識別子、コンテンツ視聴用端末の識別子の各々を保持し、要求に応じて前記各識別子を提供する識別子管理手段と、
前記コンテンツオブジェクト内の再生ルールを取得し、再生ルールの評価を行い、再生ルールに従って処理を行い、外部からＣＭデータを取得し、ＣＭデータを出力した際、前記ユーザの識別子に関連付けてＣＭの視聴履歴を記録する再生ルール評価実行手段と、
前記再生ルール評価実行手段からＣＭデータ及びコンテンツデータを受け取り、前記ＣＭ視聴用端末の識別子に基づいて、前記ＣＭ視聴用端末にＣＭデータを送信し、前記コンテンツ視聴用端末の識別子に基づいて、前記コンテンツ視聴用端末へコンテンツデータを送信する出力制御手段と
を具備する
再生ルール評価装置。
【請求項２】
請求の範囲１に記載の再生ルール評価装置であって、
前記再生ルール評価実行手段から受け取ったＣＭデータ及びコンテンツデータを再生する再生手段と、
前記ユーザの識別子に関連したＣＭの視聴履歴を保持し、要求に応じてＣＭの視聴履歴を提供するＣＭ視聴履歴保持手段と
を更に具備し、
前記再生ルール評価実行手段は、前記識別子管理手段から取得した前記ユーザの識別子を前記ＣＭ視聴履歴保持手段に渡し、前記ＣＭ視聴履歴保持手段から前記ユーザの識別子に関連付けられたＣＭの視聴履歴を取得し、ＣＭを未視聴の場合はＣＭデータとコンテンツデータとを前記再生手段に渡し、ＣＭを視聴済みの場合はコンテンツデータを前記再生手段に渡す
再生ルール評価装置。
【請求項３】
請求の範囲１又は２に記載の再生ルール評価装置であって、
前記コンテンツオブジェクトは、ＣＭデータを更に含み、
前記再生ルール評価実行手段は、ＣＭデータを再生する必要が生じた場合、前記コンテンツオブジェクト内のＣＭデータを取得する
再生ルール評価装置。
【請求項４】
請求の範囲１乃至３のいずれかに記載の再生ルール評価装置であって、
前記再生ルール評価実行手段からコンテンツデータを受け取り、ＣＭを視聴済みの場合、別端末へコンテンツデータを送信する出力手段
を更に具備する
再生ルール評価装置。
【請求項５】
請求の範囲１乃至４のいずれかに記載の再生ルール評価装置であって、
前記ＣＭの視聴履歴に応じて、前記再生ルール評価実行手段から、コンテンツの画質の変更を指示する命令とコンテンツデータとを受け取り、コンテンツの画質を変更し、前記再生ルール評価実行手段へ返す画質変更処理手段
を更に具備する
再生ルール評価装置。
【請求項６】
請求の範囲１乃至５のいずれかに記載の再生ルール評価装置であって、
前記再生ルール評価実行手段から、コンテンツのＤＲＭ（Ｄｉｇｉｔａｌ  Ｒｉｇｈｔｓ  Ｍａｎａｇｅｍｅｎｔ）の設定の変更を指示する命令とコンテンツデータとを受け取り、ＤＲＭの設定を変更し、前記再生ルール評価実行手段へ返すＤＲＭ設定変更手段
を更に具備する
再生ルール評価装置。
【請求項７】
請求の範囲１乃至６のいずれかに記載の再生ルール評価装置であって、
アンケートの回答履歴を前記ユーザの識別子と関連付けて保存するアンケート回答履歴保持手段
を更に具備し、
前記再生ルール評価実行手段は、前記アンケートの回答履歴を参照し、アンケートに回答済みかどうかに応じた再生ルールを実行する
再生ルール評価装置。
【請求項８】
請求の範囲１乃至７のいずれかに記載の再生ルール評価装置であって、
商品の購入履歴を前記ユーザの識別子と関連付けて保存する商品購入データ保持手段
を更に具備し、
前記再生ルール評価実行手段は、前記商品の購入履歴を参照し、前記ユーザが商品を買ったかどうかに応じた再生ルールを実行する
再生ルール評価装置。
【請求項９】
請求の範囲１乃至８のいずれかに記載の再生ルール評価装置であって、
前記コンテンツオブジェクトデータ入力手段は、ネットワークを介してコンテンツ販売業者サーバから前記コンテンツオブジェクトを取得し、
前記再生ルール評価実行手段は、前記ネットワークを介して前記コンテンツ販売業者サーバから前記ＣＭデータを取得し、前記コンテンツ販売業者サーバに前記ＣＭの視聴履歴を記録する
再生ルール評価装置。
【請求項１０】
請求の範囲１乃至９のいずれかに記載の再生ルール評価装置であって、
前記再生ルール評価実行手段は、再生ルールの再生条件の評価を行った際に複数の再生ルールの再生条件に合致した場合、合致した再生ルールを表示して前記ユーザに選択させ、前記ユーザに選択された再生ルールに従って処理を行う
再生ルール評価装置。
【請求項１１】
外部から再生ルール及びコンテンツデータが含まれたコンテンツオブジェクトを取得し、前記コンテンツオブジェクトの再生ルールを評価するステップと、
ユーザの識別子、ＣＭ視聴用端末の識別子、コンテンツ視聴用端末の識別子の各々を保持し、要求に応じて前記各識別子を参照するステップと、
前記ユーザの識別子に関連したＣＭの視聴履歴を取得し、ＣＭの視聴履歴を評価するステップと、
ＣＭの視聴履歴を評価した結果、ＣＭを未視聴の場合、外部からＣＭデータを取得し、前記ＣＭ視聴用端末の識別子に基づいて、前記ＣＭ視聴用端末にＣＭデータを送信し、ＣＭの視聴履歴に、前記ユーザの識別子と、ＣＭを視聴したという視聴履歴の情報とを書き込むステップと、
前記コンテンツオブジェクトからコンテンツデータを取得して、前記コンテンツ視聴用端末の識別子に基づいて、前記コンテンツ視聴用端末へコンテンツデータを送信するステップと
を含む
再生ルール評価方法。
【請求項１２】
請求の範囲１１に記載の再生ルール評価方法であって、
ＣＭデータを再生する必要が生じた場合、前記コンテンツオブジェクト内に保持しているＣＭデータを取得するステップ
を更に含む
再生ルール評価方法。
【請求項１３】
請求の範囲１１又は１２に記載の再生ルール評価方法であって、
ＣＭを視聴済みの場合、別端末へコンテンツデータを送信するステップ
を更に含む
再生ルール評価方法。
【請求項１４】
請求の範囲１１乃至１３のいずれかに記載の再生ルール評価方法であって、
前記ＣＭの視聴履歴に応じて、コンテンツの画質の変更を指示する命令とコンテンツデータとを受け取り、コンテンツの画質を変更するステップ
を更に含む
再生ルール評価方法。
【請求項１５】
請求の範囲１１乃至１４のいずれかに記載の再生ルール評価方法であって、
コンテンツのＤＲＭ（Ｄｉｇｉｔａｌ  Ｒｉｇｈｔｓ  Ｍａｎａｇｅｍｅｎｔ）の設定の変更を指示する命令とコンテンツデータとに応じて、ＤＲＭの設定を変更するステップ
を更に含む
再生ルール評価方法。
【請求項１６】
請求の範囲１１乃至１５のいずれかに記載の再生ルール評価方法であって、
前記ユーザの識別子と関連付けられたアンケートの回答履歴を参照し、アンケートに回答済みかどうかに応じた再生ルールを実行するステップ
を更に含む
再生ルール評価方法。
【請求項１７】
請求の範囲１１乃至１６のいずれかに記載の再生ルール評価方法であって、
前記ユーザの識別子と関連付けられた商品の購入履歴を参照し、前記ユーザが商品を買ったかどうかに応じた再生ルールを実行するステップ
を更に含む
再生ルール評価方法。
【請求項１８】
請求の範囲１１乃至１７のいずれかに記載の再生ルール評価方法であって、
前記コンテンツオブジェクトを取得する際、ネットワークを介してコンテンツ販売業者サーバから前記コンテンツオブジェクトを取得するステップと、
前記ＣＭデータを取得する際、前記ネットワークを介して前記コンテンツ販売業者サーバから前記ＣＭデータを取得し、前記コンテンツ販売業者サーバに前記ＣＭの視聴履歴を記録するステップと
を更に含む
再生ルール評価方法。
【請求項１９】
請求の範囲１１乃至１８のいずれかに記載の再生ルール評価方法であって、
再生ルールの再生条件の評価を行った際に複数の再生ルールの再生条件に合致した場合、合致した再生ルールを表示して前記ユーザに選択させ、前記ユーザに選択された再生ルールに従って処理を行うステップ
を更に含む
再生ルール評価方法。
【請求項２０】
外部から再生ルール及びコンテンツデータが含まれたコンテンツオブジェクトを取得し、前記コンテンツオブジェクトの再生ルールを評価するステップと、
ユーザの識別子、ＣＭ視聴用端末の識別子、コンテンツ視聴用端末の識別子の各々を保持し、要求に応じて前記各識別子を参照するステップと、
前記ユーザの識別子に関連したＣＭの視聴履歴を取得し、ＣＭの視聴履歴を評価するステップと、
ＣＭの視聴履歴を評価した結果、ＣＭを未視聴の場合、外部からＣＭデータを取得し、前記ＣＭ視聴用端末の識別子に基づいて、前記ＣＭ視聴用端末にＣＭデータを送信し、ＣＭの視聴履歴に、前記ユーザの識別子と、ＣＭを視聴したという視聴履歴の情報とを関連付けて書き込むステップと、
前記コンテンツオブジェクトからコンテンツデータを取得して、前記コンテンツ視聴用端末の識別子に基づいて、前記コンテンツ視聴用端末へコンテンツデータを送信するステップと
をコンピュータに実行させるためのプログラムを格納した
記憶媒体。
【請求項２１】
外部から再生ルール及びコンテンツデータが含まれたコンテンツオブジェクトを取得し、前記コンテンツオブジェクトの再生ルールを評価するステップと、
ユーザの識別子、ＣＭ視聴用端末の識別子、コンテンツ視聴用端末の識別子の各々を保持し、要求に応じて前記各識別子を参照するステップと、
前記ユーザの識別子に関連したＣＭの視聴履歴を取得し、ＣＭの視聴履歴を評価するステップと、
ＣＭの視聴履歴を評価した結果、ＣＭを未視聴の場合、外部からＣＭデータを取得し、前記ＣＭ視聴用端末の識別子に基づいて、前記ＣＭ視聴用端末にＣＭデータを送信し、ＣＭの視聴履歴に、前記ユーザの識別子と、ＣＭを視聴したという視聴履歴の情報とを関連付けて書き込むステップと、
前記コンテンツオブジェクトからコンテンツデータを取得して、前記コンテンツ視聴用端末の識別子に基づいて、前記コンテンツ視聴用端末へコンテンツデータを送信するステップと
をコンピュータに実行させるための
プログラム。
【国際調査報告】
2008120523.tif 000013
2008120523.tif 000014
2008120523.tif 000015
2008120523.tif 000016